(57)【要約】【課題】薬物輸送装置の提供。【解決手段】この薬物輸送装置は、握持に適し、一端に射程距離を調整可能な調整シートが設けられ、別端が主流気圧、分流気圧に接続される気圧制御源に接続されたケースを具え、該ケース内に、薬物輸送加圧管、嵌め込み式薬缶連接シート或いは外付け式薬缶連接シート、交換式薬缶容器、気体連接管が設けられている。この設計により、液体薬物の微量制御並びに薬管交換可能で連続定量薬剤輸送の効果を達成する。また本発明の部品はいずれも組み合わせ式で、分解洗浄でき、或いは損壊した或いは汚れた部品の交換が行える。【選択図】図４
2011115555.tif 000002
【特許請求の範囲】
【請求項１】
薬物輸送装置において、
ケースと、
該ケースの一端に結合された調整シートと、
該ケース内に嵌め込まれ、薬物導入後に加圧噴射して霧状に射出する薬物輸送加圧管と、
該薬物輸送加圧管に結合され、薬缶容器との結合に供され、並びに気体連接管に接続されて気圧を提供して薬物の定量輸送を行う嵌め込み式薬缶連接シートと、
後固定座に結合され並びに該ケースの別端に固定され、並びに導管により制御源の提供する主流気圧と分流気圧に接続される固定連結シートと、
を包含し、定量気体の輸送制御と薬物加圧霧化射出の機能を具えた薬物輸送装置。
【請求項２】
請求項１記載の薬物輸送装置において、該ケースがベース、前スライドカバー、後スライドカバーで構成されたことを特徴とする、薬物輸送装置。
【請求項３】
請求項２記載の薬物輸送装置において、該前スライドカバーの内壁面に互いに対応し且つ半円弧面を呈する二つの基礎柱が設けられ、且つ前スライドカバーの端面に内向きに所定距離延伸されて一列の孔を有する孔座が設けられ、該ベースの端縁面に穿孔が設けられ、一つの弾性フックと二つのピンが三角形に配置された調整シートが、該弾性フックが該孔座の孔に選択的に係合されることで組み合わされて、該ケースとの間のギャップの調整可能に組み合わされたことを特徴とする、薬物輸送装置。
【請求項４】
請求項２記載の薬物輸送装置において、該嵌め込み式薬缶連接シートにチャネルが設けられ、該チャネルの一端は薬物輸送加圧管に設けられた細小孔に連通し、別端には挿入孔が設けられ、該薬缶容器は長細い密封形式を呈し且つ両端を貫通する開口を有し、その一端に縮径された挿入部が設けられて、該挿入部はキャップで閉じることができ、別端は等径の嵌合部とされて且つ軟質で凹溝を具えたプラグが嵌め込まれたことを特徴とする、薬物輸送装置。
【請求項５】
請求項４記載の薬物輸送装置において、該気体連接管は一端の開口が尖部に設けられ、且つ本体に横向き凸翼と縦向き凸塊が設けられたことを特徴とする、薬物輸送装置。
【請求項６】
請求項２記載の薬物輸送装置において、該固定連結シートは該薬物輸送加圧管と該気体連接管の同側端が嵌め込まれる主流気孔と分流気孔を有することを特徴とする、薬物輸送装置。
【請求項７】
請求項２記載の薬物輸送装置において、該ベースの収容空間の両側壁中段に、互いに対応するスロットと弾性フックが設けられ、並びに前端近くにフックが設けられ、端縁に凹点が設けられ、該前スライドカバーの一端開口の両側に係止部が設けられ、その一側は平坦辺とされ、別の一側は小凸点とされ、円凸柱がベースの該スロットに嵌め込まれてスライド可能とされ、前スライドカバーの別端縁に凸点が設けられて該ベースの対応する凹点に嵌合されることを特徴とする、薬物輸送装置。
【請求項８】
請求項７記載の薬物輸送装置において、該ベースの収容空間の両側壁中段に、互いに対応するほぞが設けられ、並びに該ほぞの上方より後ろ向きに凸片が延伸され、下方にこれにより滑り溝が形成され、該後スライドカバーの内面に互いに対応する係合部が凸設され、該後スライドカバーの内面に凸設された係合部が該滑り溝においてスライドして該ベースのほぞと係合して、結合、位置決めが達成されることを特徴とする、薬物輸送装置。
【請求項９】
請求項２記載の薬物輸送装置において、該後スライドカバーの内面に当接片が設けられて閉じ合わされる時に気体連接管の横向き凸翼の上端を押動して、該気体連接管を薬缶容器の方向に移動させ、且つその尖部に完全に該プラグを貫通させて内部連通を形成することを特徴とする、薬物輸送装置。
【請求項１０】
請求項２記載の薬物輸送装置において、該前スライドカバー、該後スライドカバーの外周面の適当な位置に滑り止め用の浮凸部が形成されたことを特徴とする、薬物輸送装置。
【請求項１１】
請求項２記載の薬物輸送装置において、該薬物輸送加圧管は外付け式薬缶連接シートに結合可能であり、該外付け式薬缶連接シートは貫通する貫通孔を有し、該前スライドカバーにこの貫通孔に対応する連接孔が設けられ、さらに該連接孔を閉じることができるピンが設けられたことを特徴とする、薬物輸送装置。
【請求項１２】
請求項６記載の薬物輸送装置において、該固定連結シートの分流気孔の上方に切り口が設けられて該縦向き凸塊の移動を許容し、且つ該切り口の両側に突出する当接部が設けられ、該ベースに該当接部に対応する凸耳が設けられて、該当接部と該凸耳がネジで固定されることを特徴とする、薬物輸送装置。
【請求項１３】
薬物輸送装置の薬物輸送方法において、
薬物の定量輸送と加圧噴射機能を有する薬物輸送装置を提供し、
該薬物輸送装置内に薬缶容器を設置し、薬物ソースを提供し、
該薬物輸送装置を気圧供給する制御源に接続し、主流気圧と分流気圧をそれぞれ該薬物輸送装置内に導入できるようにし、
気体の制御原を起動し、薬物を定量輸送及び加圧噴射して霧状射出する、
薬物輸送装置の薬物輸送方法。
【請求項１４】
請求項１３の薬物輸送装置の薬物輸送方法において、制御源に使用される気圧は外部より導入され、高圧不活性ガスボンベの発生する気体が採用され、並びに蓄圧タンク装置が付加されたことを特徴とする、薬物輸送装置の薬物輸送方法。
【請求項１５】
請求項１３の薬物輸送装置の薬物輸送方法において、薬物を超音波振動加圧後に薬物輸送装置内に送り込むことを特徴とする、薬物輸送装置の薬物輸送方法。
【発明の詳細な説明】
【技術分野】
【０００１】
本発明は薬缶の取り付けと交換及び薬物輸送の定量制御が行える薬物輸送装置であって、簡単に使用薬物の交換使用が行え、連続或いは一次の微量の定量投薬を選択できる、薬物輸送装置に関する。
【背景技術】
【０００２】
現在、美容、医学方面の無針注射、顕微治療等の用途の装置は非常に多く、一般的な注射器のほとんどは、銃形本体を有し、その内部空間に薬物或いはその他の物質が装填され、並びに高圧気体に接続され、高圧原理を利用し、注射器が患者の皮膚に押し当てられ、レバーが押動される時、薬液が銃口から霧状に迅速に噴出する。
【０００３】
このような注射器は、使用上の便利性と実用性を有するため、ますます大衆に受け入れられている。しかし、その構造設計上、以下のように、未だ完全でないところがあり、使用上の欠点があるため、改善が待たれている。
１．注射器が液体を霧化して射出するための動力源は、高圧気体の圧力の大きさに依存し、外接気圧タイプでは、気圧制御の安定度は人により制御され、ゆえに施力不均一により噴霧効果不良の状況が形成された。
２．注射器は通常分解不能であり、自分で分解して掃除或いはメインテナンス作業を行えず、特に簡単な故障の排除が行えない。
３．一部の注射器は薬物の充填或いは薬瓶の取り付け、交換に非常に不便であり、過程に手間取り、且つ薬物注射時に経常的に薬液が瓶内に残留し、注射する薬量が不正確となり、薬効に影響が生じた。
４．一般の注射器はメーカーが設定した単一方式によってのみ薬物導入が可能で、ゆえに使用上の応用性と便利性が制限された。
【０００４】
このことから、本発明者は以上の問題に対して解決の道を求め、業界と一般大衆への貢献を果たすために、不断の試験、改良の後、終に、新規で、便利で且つ実用的な薬物輸送装置を発明した。
【発明の概要】
【発明が解決しようとする課題】
【０００５】
本発明の主要な目的は、液体薬物の微量制御が可能で並びに薬缶の交換が可能で連続定量輸送が行える薬物輸送装置を提供することにある。
【０００６】
本発明の別の目的は、分解洗浄と損壊、汚れた部品の交換が行える効果を達成する組合せ式の薬物輸送装置を提供することにある。
【０００７】
本発明の更なる目的は、注入薬缶形式を選択できる薬物輸送装置を提供することにあり、それは、内部の嵌め込み式薬缶連接シートを交換式薬缶容器と組み合わせるか、外部の外付け式薬缶連接シートに外付け式薬缶容器を組み合わせるかの二種類の形式を包含し、該外付け式薬缶容器には超音波振動装置が取り付けられて、細緻な噴霧効果を獲得でき、これにより応用がきき、便利で且つ多元の使用効果を有するものとされる。
【課題を解決するための手段】
【０００８】
以上の目的を達成するため、本発明の好ましい実施例は以下のとおりである。本発明の薬物輸送装置は、組み合わせ構造とされ、開閉自在で開口を形成するケースと、射程距離を調整可能な調整シートと、薬物を霧化、加圧するための薬物輸送加圧管、及び選択的に薬缶取り付け形式を選択できる薬物連接シート等のユニットで構成され、これにより分解洗浄可能で、或いは損壊した或いは汚れた部品の効果が可能な効果を達成する。該薬物輸送装置の一端には主・分流気圧制御源に接続するための固定連結シートが設けられ、これにより制御源が提供する主・分流気圧に接続し、そのうち、分流気圧は定量気体輸送機能を提供し、主流気圧は薬物を加圧噴射して霧化射出する機能を提供する。
【０００９】
その作業原理は以下のとおりである。外部不活性気体の制御源は比例弁を定量薬物送出のコントローラとしており、これにより分流気圧を導管より薬物輸送装置中の減圧作用を有する気体連接管に提供し、及び、主流気圧を導管より薬物輸送装置中の薬物輸送加圧管に接続し、該薬物輸送加圧管は選択的に、嵌め込み式薬缶連接シートに組み合わせ且つ薬缶容器に接続して減圧機能を有する気体連接管構造を組み合わせ、連続性を有し且つ安定し微量の気体輸送機能を形成し、薬物液体を定量送出するか、或いは、外部導入方式を採用し、外付け式薬缶容器を利用して直接薬物を外付け式薬缶連接シートに注入し、さらに薬物輸送加圧管を通して加圧噴射し霧化として注射する。さらに、これら薬缶容器にさらに超音波振動装置を設けることで、薬物送出後にさらに細微な霧化効果を達成できる。
【発明の効果】
【００１０】
本発明の設計は少なくとも以下のような特徴を有する。
１．組合せ式の薬缶連接シート、自由に着脱できる薬缶容器と薬物輸送加圧管。
２．簡単に嵌め込み式或いは外付け式の薬缶容器、交換式の連接シートを交換できる設計。
３．減圧機能を有する気体連接管。
４．液体表面張力（内集力）特性を利用して気体を押動する薬缶容器構造。
【図面の簡単な説明】
【００１１】
【図１】本発明の好ましい実施例中の薬物輸送装置の分解図である。
【図２】本発明の好ましい実施例中の薬物輸送装置の組立表示図である。
【図３】本発明の好ましい実施例中の薬物輸送装置の全体外観図である。
【図４】本発明の好ましい実施例中の薬物輸送装置の断面図である。
【図５】本発明の好ましい実施例中の薬物輸送装置の内部輸送表示図である。
【図６】本発明の好ましい実施例中の薬物輸送装置に交換式薬缶容器を選択使用した組み合わせ表示図である。
【図７】本発明の好ましい実施例中の薬物輸送装置の薬缶容器と気体連接管の連接時の気体による薬物押動局部表示図である。
【図８】本発明の好ましい実施例中の薬物輸送装置の前スライドカバーと後スライドカバーの動作表示図である。
【図９】本発明の好ましい実施例中の薬物輸送装置の前スライドカバーと後スライドカバーの動作平面図である。
【図１０】本発明の好ましい実施例中の薬物輸送装置と気体制御源の実施例図である。
【図１１】本発明の別実施例中の薬物輸送装置の構造分解図である。
【図１２】本発明の別実施例中の薬物輸送装置の構造断面図である。
【図１３】本発明の別実施例中の薬物輸送装置の実際の実施表示図である。
【発明を実施するための形態】
【００１２】
本発明の技術内容、構造特徴、達成する目的を詳細に説明するため、以下に実施例を挙げ並びに図面を組み合わせて説明する。
【００１３】
図１を参照されたい。図１は本発明の好ましい実施例の組み合わせ式で交換機能を有する薬物輸送装置（１）を表示する。その構成ユニットは、以下のもの、すなわち、一組の、ベース（１０）、前スライドカバー（１１）、後スライドカバー（１２）で構成されたケース、該ケースの前端に結合された調整シート（２０）、該ベース（１０）内に嵌め込まれた薬物輸送加圧管（３０）、該薬物輸送加圧管（３０）に結合された嵌め込み式薬缶連接シート（４０）、該ケースの後端に固定され、且つ該後端に別に後固定座（６０）が固定されている固定連結シート（５０）、以上を包含する。
【００１４】
そのうち、該調整シート（２０）は三角形のフックを具えてケースとの結合のギャップを調整できる。該薬物輸送加圧管（３０）は管状体とされ、且つ内孔（３１）は両端より中央に向けて漸縮する形態とされ、並びに外周面中段に結合部（３２）が設けられ、該結合部（３２）を貫通して内孔（３１）に連通する細小孔（３３）が設けられ（図４参照）、さらに該薬物輸送加圧管（３０）の外周面中段にベース（１０）の内面に位置決めするための位置決め溝（３４）が設けられ、該結合部（３２）に補助位置決め孔（３５）が設けられている。
【００１５】
該嵌め込み式薬缶連接シート（４０）は注入薬缶との結合機能を有する。それはチャネル（４１）を有し、交換式の薬缶容器（４２）との接続に供される。
【００１６】
或いは該嵌め込み式薬缶連接シート（４０）に代えて、ケースの前スライドカバー（１１）により外付け式薬缶連接シート（４４）を固定でき、該外付け式薬缶連接シート（４４）を介して外付け式薬缶容器（８）が薬物輸送加圧管（３０）に連接される（図には未表示。これについては後で詳しく説明する）。該外付け式薬缶容器（８）には超音波振動装置が増設されて加圧効果が提供される。
【００１７】
該嵌め込み式薬缶連接シート（４０）或いは外付け式薬缶連接シート（４４）は円形凸部（４０１）を有し、該円形凸部（４０１）は該補助位置決め孔（３５）に圧入され、これにより結合後の回転移動が防止される。
【００１８】
該嵌め込み式薬缶連接シート（４０）には挿入孔（４０２）が設けられ、該挿入孔（４０２）は薬缶容器（４２）との結合に供される。該薬缶容器（４２）は長細い密封形式とされ、前端に縮径された挿入部（４２０）が設けられ、後端は本体と同径の嵌合部（４２２）とされ、且つ本体の両端を貫通するように開口（４２１）が設けられている。該挿入部（４２０）は未使用時にはキャップで閉じられ、使用時には該開口（４２１）が挿入孔（４０２）に挿入されてチャネル（４１）と連通させられ、嵌合部（４２２）には軟質のプラグ（４２３）が嵌め込まれている。
【００１９】
該プラグ（４２３）に突き合わせて、気体連接管（４３）が設けられ、該気体連接管（４３）は薬缶容器（４２）の嵌合部（４２２）の開口（４２１）に対応する尖部（４３１）を有し、該尖部（４３１）によりプラグ（４２３）が刺し通されて連通し、また該気体連接管（４３）の本体には横向き凸翼（４３２）と縦向き凸塊（４３３）が設けられ、該気体連接管（４３）の別端は、薬物輸送加圧管（３０）と同方向の一端と、固定連結シート（５０）の分流気孔（５２）と主流気孔（５１）内に挿入され、さらに制御源（７）に接続され、制御源（７）より主流気圧（７０）と分流気圧（７１）が提供される（図示せず。制御源については後述する）。こうして定量気体輸送と薬物加圧霧化射出のダブル機能を達成する。
【００２０】
該分流気孔（５２）の上方には切り口（５２１）が設けられ、縦向き凸塊（４３３）の移動を許容し、並びに気体連接管（４３）の回転状況を防止し、該切り口（５２１）の両側に突出する当接部（５３）が設けられ、該固定連結シート（５０）がベース（１０）に接続される時、ベース（１０）の内面の対応する凸耳（１００）に重ね合わされ、さらにネジで締結されて一体に結合される。
【００２１】
その後、後固定座（６０）が組み合わされるが、該後固定座（６０）には、主流気圧（７０）の接続導入に便利な貫通孔（６１）が設けられ、及び、分流気圧（７１）の接続導入に便利なＶ状の搭載部（６２）が設けられ、該後固定座（６０）の周囲にはネジ孔（６３）が設けられ、ネジで固定連結シート（５０）と固定結合される。
【００２２】
図２は本発明の好ましい実施例の薬物輸送装置（１）の組み合わせ構造を示す。ベース（１０）内には順に、薬物輸送加圧管（３０）、嵌め込み式薬缶連接シート（４０）、薬缶容器（４２）、気体連接管（４３）が置かれ、ベース（１０）の一端は固定連結シート（５０）及び後固定座（６０）に結合される。最後に、前スライドカバー（１１）と後スライドカバー（１２）がそれぞれベース（１０）と結合される。
【００２３】
前スライドカバー（１１）とベース（１０）の結合形態は、ベース（１０）の収容空間の両側壁中段に互いに対応するスロット（１０１）と互いに対応する弾性フック（１０９）が設けられ、並びに前端近くにフック（１０２）が設けられ、端縁に凹点（１０３）が設けられ、前スライドカバー（１１）は、一端開口両側端に互いに対応する係止部（１１０）と円凸柱（１１１）が設けられ、該係止部（１１０）の一側は平坦辺とされ弾性フック（１０９）により係止されて移動防止され、もう一側は小凸点とされて前スライドカバー（１１）が開かれる時の位置決め用とされ、開かれすぎてその他の部品を傷つけるのを防止する。該円凸柱（１１１）はスロット（１０１）に挿入されてその中をスライド可能とされ、別端縁には互いに対応する凸点（１１２）が設けられて、前スライドカバー（１１）がベース（１０）に結合された後に、スライド位置決めされる時、該凸点（１１２）が凹点（１０３）と係合する。
【００２４】
このほか、前スライドカバー（１１）外周面の適当な位置に滑り止め用の浮凸部（１１３）が設けられ、前スライドカバー（１１）の開閉とスライド時の施力が行いやすい。
【００２５】
また、前スライドカバー（１１）の内壁面に、互いに対応し且つ半円弧面を呈する基礎柱（１１７）が設けられ、二つの基礎柱（１１７）の間に設けられる距離は、僅かに薬物輸送加圧管（３０）の幅を通過させられるものとされ、これにより、有効に薬物輸送加圧管（３０）を嵌入することができ、また、その対向面が半円弧面の設計とされるため、前スライドカバー（１１）を開くときに、薬物輸送加圧管（３０）の表面に対して傷をつける状況が防止される。
【００２６】
後スライドカバー（１２）とベース（１０）の結合形態は以下のとおりである。ベース（１０）の収容空間の両側壁の中段に、互いに対応するほぞ（１０４）が設けられ、並びに該ほぞ（１０４）の上方より後ろ向きに凸片（１０５）が延伸され、下方にこれにより滑り溝（１０６）が形成され、該後スライドカバー（１２）の内面に互いに対応する係合部（１２１）が凸設される。
【００２７】
後スライドカバー（１２）がベース（１０）に結合される時、二つの対応する係合部（１２１）が滑り溝（１０６）においてスライドしてほぞ（１０４）と係合して、結合、位置決めが達成される。同様に、後スライドカバー（１２）の外周面の適所に滑り止め用の浮凸部（１２２）が設けられ、後スライドカバー（１２）をスライドさせて開閉するのに力が入れやすい。
【００２８】
図３に示されるように、上述のユニットにより、完全でコンパクトな薬缶交換と定量制御可能な薬物輸送装置が構成される。
【００２９】
図４は本発明の上述の完成した薬物輸送装置の断面図である。そのうち、該薬物輸送装置（１）は、薬物輸送加圧管（３０）がその底面の位置決め溝（３４）がベース（１０）内面のリブ（１０８）に嵌合されることで位置決めされ、該薬物輸送装置（１）の一端には調整シート（２０）が結合されている。
【００３０】
実施上、前スライドカバー（１１）の端縁が内向きに所定距離延伸されて一列の孔を有する孔座（１１４）が形成され、ベース（１０）の端縁面に穿孔（１０７）が設けられ、該調整シート（２０）は三角形のフックで取り付けられ、等分に配設された弾性フック（２１）とピン（２２）を具えている。該弾性フック（２１）は対応する孔座（１１４）の孔に係合し、該ピン（２２）は穿孔（１０７）に挿入される。こうして両者が結合される時、調整シート（２０）の弾性フック（２１）が孔座（１１４）に挿入されて選択された孔に係合され、ギャップ調整の効果が達成される。
【００３１】
また、薬物輸送装置（１）の別端には気体連接管（４３）により分流気圧（７１）が接続されて定量気体輸送機能が提供され、薬物輸送加圧管（３０）に接続された主流気圧（７０）が薬物を加圧噴射して霧化する機能を提供する。
【００３２】
図５は上述の薬物輸送装置の内部輸送表示図である。制御源（７）は主流気圧（７０）、分流気圧（７１）の薬物輸送加圧管（３０）と気体連接管（４３）との接続を制御する。そのうち、分流気圧（７１）は気体連接管（４３）を通り、薬缶容器（４２）内に進入し、薬物をゆっくりと輸送し、気体連接管（４３）内で細長孔が減圧室を形成し、且つ入出口に縮口（０．３ｍｍ直径とされるのがよい）が設計されたことにより、微量の気動定量輸送機能を制御でき（この設計は薬物推進量を１μＬ以下に低くできる）、薬物を薬缶容器（４２）の一端の嵌合部（４２２）、プラグ（４２３）を通して別端の挿入部（４２０）の開口（４２１）より送出後、さらに挿入孔（４０２）より嵌め込み式薬缶連接シート（４０）の微細なチャネル（４１）を通した後に、薬物輸送加圧管（３０）内に導入し、薬物輸送加圧管（３０）の一端に連結された主流気圧（７０）により、導入した薬物を加圧噴射しさらに別端より霧化状で送出する（これは周知のベンチュリー管原理であるため、詳しい説明は省略する）。
【００３３】
図６は本発明の薬物輸送装置に交換式薬缶容器を選択使用する場合の組み合わせ表示図である。薬缶容器（４２）の一端の挿入部（４２０）の開口（４２１）は嵌め込み式薬缶連接シート（４０）の挿入孔（４０２）に連結されて連通させられ、別端の嵌合部（４２２）の開口（４２１）は気体連接管（４３）と連結される。該薬缶容器（４２）の嵌合部（４２２）内には軟質のプラグ（４２３）があり、該気体連接管（４３）の一端の尖部（４３１）がプラグ（４２３）に刺し込まれる。このとき、内部は未連通であり、後スライドカバー（１２）が組み合わされたときに、該後スライドカバー（１２）の末端の切欠き（１２４）が気体連接管（４３）の移動を許容し、及びその内面に凸設された当接片（１２３）が該気体連接管（４３）の横向き凸翼（４３２）の上縁を押動し、全体の気体連接管（４３）を薬缶容器（４２）の方向に移動させ、並びにその尖部（４３１）に完全にプラグ（４２３）を挿通させて内部と連通させる。
【００３４】
図７は本発明の薬物輸送装置中の薬缶容器と気体連接管が接続されて気体で薬物を押動するときの局部表示図である。そのうち、薬缶容器（４２）と気体連接管（４３）が連結されるとき、尖部（４３１）がプラグ（４２３）に突き刺さり、分流気圧（７１）が続けて薬物を輸送し、プラグ（４２３）を通り抜けた尖部（４３１）の周囲に残留を形成する。定量注射に設定されているならば、残留薬物がこれにより不足の状況を形成し得る。この問題を解決するため、特に、プラグ（４２３）の管内に向いた面の中心に浅い凹溝（４２４）が形成される。これにより、液体表面張力（内集力）を利用し、薬物残留の状況を減らす。このほか、実施上、薬缶容器（４２）、プラグ（４２３）及びその凹溝（４２４）を一体に形成可能で、これにより加工プロセスを簡易化する効果を達成できる。
【００３５】
図８、図９を合わせて参照されたい。これは本発明の薬物輸送装置中の、前スライドカバー、後スライドカバーの動作表示図である。そのうち、前スライドカバー（１１）は回転させて開閉でき、後スライドカバー（１２）はスライドさせて開閉できる。この動作は薬缶容器（４２）の交換或いは薬物輸送加圧管（３０）の着脱、さらには全体ユニットの分解と洗浄に用いられ得る。各ユニットはいずれも組み合わせ方式で一体に結合され、ゆえに、交換、分解及び洗浄上、相当に便利であり、且つ消毒後に重複使用でき、これによりコストを減らせる。
【００３６】
図１０は本発明の薬物輸送装置と気体制御源の実施例図である。図中、該制御源（７）は主流気圧（７０）と分流気圧（７１）を供給し、その機能は、主流気圧（７０）、分流気圧（７１）の圧力調整と制御、時間調整と制御、及び両者の送出時間差調整と制御を包含する。実施上、制御源（７）は導管（７２）を利用し、薬物輸送装置（１）と連結される。本発明の制御源（７）が使用する気体は、外部より導入され、並びに比例弁を利用して自動圧力制御を行ない、手動調整の煩わしさを免除している。それは、高圧不活性気体スチールボンベの発生する気体を採用し、且つ蓄圧タンク装置が付加される。本実施例中、主流気圧（７０）の操作圧力は５ｋｇ／ｃｍ２ 〜１２ｋｇ／ｃｍ２ とされ、分流気圧（７１）は比例弁により、操作圧力は０．０２ｋｇ／ｃｍ２ 〜１２ｋｇ／ｃｍ２に制御され
る。
【００３７】
図１１と図１２を合わせて参照されたい。これは本発明の別実施例の薬物輸送装置の分解構造図である。それは上述の薬物輸送装置（１）の異なるところは以下のとおりである。すなわち、外部薬物を直接導入する方法を採用しているところである。
【００３８】
製作上、本実施例は、ケース、調整シート（２０）、薬物輸送加圧管（３０）、固定連結シート（５０）及び後固定座（６０）はいずれも上述の実施例と同じである。異なるユニット構造は、外付け式薬缶連接シート（４４）とされ、それは外部より直接貫通する貫通孔（４４１）を有し、対応する前スライドカバー（１１）に連接孔（１１５）が設けられ、導管（７２）により外部薬物導入に供され、また、外部薬物を導入しないときには該連接孔（１１５）はピン（１１６）で閉じることができる。
【００３９】
図１３を参照されたい。これは、上述の薬物輸送装置（１）に選択的に外部からの薬物導入形式を選択したときの実施表示図である。本実施例では、外付け式薬缶容器（８）が薬物輸送装置（１）に組み合わされて使用される。
【００４０】
実施上、外付け式薬缶容器（８）は一方で導管（７２）に接続されて分流気圧（７１）が導入され、また一方で導管（７２）に接続されて前スライドカバー（１１）の連接孔（１１５）を通して外付け式薬缶連接シート（４４）に接続され、貫通孔（４４１）により薬物輸送加圧管（３０）の細小孔（３３）と連通状態を形成する。これにより、外部薬物を薬物輸送装置（１）内に導入し、並びに薬物輸送加圧管（３０）により主流気圧（７０）に接続されて薬物を加圧噴射し、霧化して噴出する。さらに、該外付け式薬缶容器（８）の内部に超音波振動装置が取り付けられ、薬物送出後に更に細微な霧化効果を達成する。
【００４１】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４２】
１  薬物輸送装置                    １０  ベース
１００  凸耳                        １０１  スロット
１０２  フック                      １０３  凹点
１０４  ほぞ                        １０５  凸片
１０６  滑り溝                      １０７  穿孔
１０８  リブ                        １０９  弾性フック
１１  前スライドカバー              １１０  係止部
１１１  円凸柱                      １１２  凸点
１１３  浮凸部                      １１４  孔座
１１５  連接孔                      １１６  ピン
１１７  基礎柱                      １２  後スライドカバー
１２１  係合部                      １２２  浮凸部
１２３  当接片                      １２４  切欠き
２０  調整シート                    ２１  弾性フック
２２  ピン                          ３０  薬物輸送加圧管
３１  内孔                          ３２  結合部
３３  細小孔                        ３４  位置決め溝
３５  補助位置決め孔                ４０  嵌め込み式薬缶連接シート
４０１  円形凸部                    ４０２  挿入孔
４１  チャネル                      ４２  薬缶容器
４２０  挿入部                      ４２１  開口
４２２  嵌合部                      ４２３  プラグ
４２４  凹溝                        ４３  気体連接管
４３１  尖部                        ４３２  横向き凸翼
４３３  縦向き凸塊                  ４４  外付け式薬缶連接シート
４４１  貫通孔                      ５０  固定連結シート
５１  主流気孔                      ５２  分流気孔
５２１  切り口                      ５３  当接部
６０  後固定座                      ６１  貫通孔
６２  搭載部                        ６３  ネジ孔
７  制御源                          ７０  主流気圧
７１  分流気圧                      ７２  導管
８  外付け式薬缶容器
【図１】
2011115555.tif 000003
【図２】
2011115555.tif 000004
【図３】
2011115555.tif 000005
【図４】
2011115555.tif 000006
【図５】
2011115555.tif 000007
【図６】
2011115555.tif 000008
【図７】
2011115555.tif 000009
【図８】
2011115555.tif 000010
【図９】
2011115555.tif 000011
【図１０】
2011115555.tif 000012
【図１１】
2011115555.tif 000013
【図１２】
2011115555.tif 000014
【図１３】
2011115555.tif 000015